【事件の表示】
　特願２０１０−１０５４８０「カードリーダライタのシャッター機構」拒絶査定不服審判事件〔平成２３年１１月１７日出願公開、特開２０１１−２３３０９８〕について、次のとおり審決する。
【結　論】
　本件審判の請求は、成り立たない。
【理　由】
第１　手続の経緯
　本願は，平成２２年４月３０日の出願であって，平成２５年１１月１１日付けで拒絶理由通知がなされ，平成２６年１月９日に手続補正がなされたが，同年６月１９日付けで拒絶査定がなされ，これに対し，同年９月２５日に拒絶査定不服審判請求がなされるとともに手続補正がなされ，当審において，平成２７年８月２６日付けで審判請求時の手続補正について補正の却下の決定がなされるとともに，同日付けで拒絶理由通知がなされ，同年１１月２日に手続補正がなされたものである。
第２　本願発明
　本願の請求項１に係る発明（以下，「本願発明」という。）は，平成２７年１１月２日の手続補正により補正された特許請求の範囲の請求項１に記載された事項により特定される，次のとおりのものである。
＜本願発明＞
「カード挿入口から挿入されたカードに残高数のデータ読み込み及び書き込みを行うリードライト部を備え，一端にカード挿入口を全長に渡って閉蓋するフラップと他端にストックされたカードを押し上げる突条が一体的に設けられ支軸でもってシーソー状に傾動可能に軸承されたシャッタープレートと，該シャッタープレートを傾動させるカム機構と，該カム機構を回転せしめるモーターとを有するカードリーダライタユニットにおいて，前記フラップの外側面に，シャッタープレートの閉塞方向に向かって漸次拡大するテーパ面を形成したことを特徴とするカードリーダライタのシャッター機構。」
第３　引用文献
１．特開２００５−９２７７６号公報
　
　当審の拒絶理由通知において引用された特開２００５−９２７７６号公報（以下，「引用文献１」という。）には，次の事項が記載されている（下線は，当審において付与した。）。
　
（ア）「【０００１】 
　本発明は，
ＩＣカード等を利用する機器に取り付けられるカードリーダライタユニットに関し
（イ）「【０００３】 
　また，遊技場に置かれるパチンコ玉貸出し機等にもこようなカードリーダライタユニットが組み込まれており，カードリーダライタユニットのカード挿入口に所定金額のプリペイドカードが差し込まれると，選択した金額に応じた個数のパチンコ玉が払い出されるようになっている。この場合，カード残高が残っていれば遊技者にカードは返却されるが，残っていなければ返却又はカードリーダライタユニット内にカードが収納されカードは返却されない。」 
（ウ）「【０００６】 
　このような，カードリーダライタユニットにおいては，簡単な構造で効率良くカードのストックや排出を行なうことが重要な課題であり，また一方では，処理中のカードの保護や第三者による不正使用の防止対策が要求される。」 
（エ）「【００１０】 
　図１において，略平板形のカードリーダライタユニット本体１は，固定フレーム１ｂに対して開閉可能な可動フレーム１ａを有し，カードリーダライタユニット本体１の前面にはカード引込口２が形成されている。このカード引込口２の前方には，非接触式のリードライト（Ｒ／Ｗ）部４が設けられている。すなわち，リードライト（Ｒ／Ｗ）部の奥方側に使用済みになったカード３が収納されるカードストック部５が設けられる。
リードライト（Ｒ／Ｗ）部４は，カード挿入口から挿入されたカード３に残高数のデータ読み取り及び書き込みを行い
（オ）「【００１１】 
　固定フレーム１ｂの前方には，
一端にカード挿入口２を閉蓋するフラップ１０ａと他端に，収納されたカード３を押し上げる突条１０ｂが一体的に設けられたシャッタープレート１０が支軸１０ｃでもって軸承されてシーソー状に傾動可能に取り付けられている
シャッタープレート１０の突条１０ｂ側の下方にはカードリフト用ギャードモータ１１に取付けられたカードリフト用カム１２が配され，シャッタープレート１０の突条１０ｂ側下面に当接する
（カ）「【００１４】 
　次に，本実施例の作用について説明する。 
図１に示すように，
カードリフト用ギャードモータ１１に回動指示信号が送られカードリフト用カム１２が回転すると，シャッタープレート１０の突条１０ｂ側下面を上方に押し上げる
の押し上げ操作により，シャッタープレート１０のフラップ１０ａ側端部は下方に傾動して，カード挿入口２が開口し
挿入されたカード３はカード搬送手段６によって搬送され，その先端側がゲート９を通過し，シャッタープレート１０の突条１０ｂによって押し上げられてストックカードの下端に生じた隙間に入り込むように位置する。この状態でカードリフト用ギャードモータ１１に再度回動指示信号が送られると，図２に示すようにシャッタープレート１０の突条１０ｂ側が下動し，同時にシャッタープレート１０のフラップ１０ａ側端部が上動してカード挿入口２を閉蓋する
  
（キ）「【００１５】 
　
カード３はリードライト部４にて残高度数が電磁気的にリード・ライトされデータ更新される
（ク）「【００１６】 
　以上のように本実施例では，ストックされたカードをシャッタープレート１０の突条１０ｂによって押し上げて隙間を作るという簡単な操作で，新たなカード３の引き込み動作が可能になるばかりでなく，同時に，
カード３の処理中にはシャッタープレート１０のフラップ１０ａがカード挿入口２を閉蓋する
　前記（ア）〜（ク）及び関連する図面の記載によれば，引用文献１には，次の発明（以下，「引用発明」という。）が記載されているといえる。 
  
 ＜引用発明＞ 
「カード挿入口から挿入されたカード３に残高数のデータの読み込み及び書き込みを行うリードライト部４を備え，一端にカード挿入口２を閉蓋するフラップ１０ａと他端に，収納されたカード３を押し上げる突条１０ｂが一体的に設けられたシャッタープレート１０が支軸１０ｃでもって軸承されてシーソー状に傾動可能に取り付けられ，
　シャッタープレート１０の突条１０ｂ側下面を上方に押し上げるカードリフト用カムと，カードリフト用カム１２に取付けられたカードリフト用ギャードモータ１１とを有し，
　カードリフト用カム１２が回転すると，シャッタープレート１０の突条１０ｂ側下面を上方に押し上げ，フラップ１０ａ側端部は下方に傾動して，カード挿入口２が開口し， 
　挿入されたカード３はカード搬送手段６によって搬送され，シャッタープレート１０の突条１０ｂによって押し上げられてストックカードの下端に生じた隙間に入り込むように位置し，この状態でカードリフト用ギャードモータ１１に再度回動指示信号が送られると，突条１０ｂ側が下動しフラップ１０ａ側端部が上動してカード挿入口２を閉蓋する，
　カードリーダライタユニット。」 
２．特開２００４−３０３０２１号公報
　
　当審の拒絶理由通知において引用された特開２００４−３０３０２１号公報（以下，「引用文献２」という。）には，次の事項が記載されている（下線は，当審において付与した。）。 
（ケ）「【０００１】 
【発明の属する技術分野】 
　本発明は，
カード挿入口から１枚目のカードが挿入された後，２枚目のカードがカード挿入口からカード取込み通路内に挿入されるのを阻止するカード処理装置におけるシャッタ構造に関する
（コ）「【００１５】
したがって，左ガイド板２と右ガイド板３とが互いに対向することにより，これら左ガイド板２および右ガイド板３と上下のガイドリブ１２，１３とによって，図４（ａ）に示すように，カードＰが矢印Ａ−Ｂ方向に移動可能なカード取込み通路としてのカード処理通路１１が形成される。」 
（サ）「【００２３】 
　
図９（ａ）において，２７は細長い長方形に形成されたシャッタ片
矢印Ｂ方向の端部には，右側方に向かって折り曲げられるようにして形成されたシャッタ部２９が設けられており
両側部には同図（ｂ）に示すように被係合部としてのボス２７ａ，２７ａが突設されている。シャッタ片２７の矢印Ａ方向の端部には，図１５に示すように，断面がＵ字状に形成された保持部２８が一体に設けられている
【００２４】 
　シャッタ部２９のカード挿入口１５側の側面２９ａは，図１５に示すように，カード処理通路１１に進出した状態でカード処理通路１１と直交する方向から角度αだけカード挿入口１５側に傾斜し，係止面２９ａを形成している。また，この係止面２９ａとカード挿入口１５と反対側の側面２９ｂには，図１６に示すように，係止リブ３０が一体に突設されている。この係止リブ３０のカード挿入口１５と反対側の側面３０ａは，図１５に示すように，カード処理通路１１に進出した状態でカード処理通路１１と直交する方向から角度αだけカード挿入口１５と反対側に傾斜し，係止面３０ａを形成している。 
【００２５】 
　この
シャッタ片２７の保持部２８に，差動板２５の係合ピン２５ｂが係入されることにより
枢着され
【００２６】 
　左カバー４の矢印Ｂ方向側には，図９（ｂ）に示すように，左ガイド板２側に向かって立設されたカム片３１が一体形成され，このカム片３１には，傾斜案内部３１ａと，これと連設され左ガイド板２に対向する水平案内部３１ｂとが形成されている。 
【００２７】 
　差動板２５に連結されたシャッタ片２７は，後述するように
カードＰがカード挿入口１５から挿入されていない初期の状態において
シャッタ部２９がカード処理通路１１から退避している
【００２８】 
 一方，後述するように，差動板２５が矢印Ａ方向に移動することにより，シャッタ片２７が矢印Ａ方向に移動すると，ボス２７ａが傾斜案内部３１ａから水平案内部３１ｂに係合するため，シャッタ部２９が，同図（ａ）において，左ガイド板２に形成した切欠き３３からカード処理通路１１内に進出する。」 
（シ）「【００４８】 
　この状態で，
カードＰをカード挿入口１５からカード処理通路１１内に矢印Ａ方向に挿入すると，カードＰの前端が移動板２２の被係合部２２ａに当接する
カードＰの前端が移動板２２の被係合部２２ａを矢印Ａ方向に押圧するから，図１０に示すように，移動板２２が矢印Ａ方向への移動を開始し
【００４９】 
　
さらに，カードＰを矢印Ａ方向に挿入すると
【００５０】 
・・・（中略）・・・また，この状態のとき
移動板２２の係合突片２２ｂが差動板２５の被係合部２５ａに係合する
【００５１】 
　この中立の状態から，さらにカードＰを矢印Ａ方向に挿入すると，タンブラー装置３５の圧縮コイルばね３８に蓄積された弾発力によって第２のリンク３７が矢印Ｃ方向に移動するから，矢印Ａ方向に移動するピン４３を介して移動板２２が矢印Ａ方向に移動する。
【００５２】 
　このとき，移動板２２の係合突片２２ｂが係合している被係合部２５ａの
差動板２５が矢印Ａ方向に移動するから，図８（ｃ）に示すように，シャッタ片２７のボス２７ａが傾斜案内部３１ａから水平案内部３１ｂに案内されるためシャッタ部２９がカード処理通路１１に臨む
【００５３】 
　
シャッタ片２７が移動板２２に追従して矢印Ａ方向に移動することにより，シャッタ部２９がカードＰの後端に係合するから，カードＰはこのシャッタ部２９によって矢印Ａ方向に移動し，同図（ｄ）に示すように，前端がストッパピン６６に係止されることにより，カード処理領域１１Ａに位置付けられて停止する。したがって，シャッタ片２７のシャッタ部２９が，カードＰの後端を係止する第１の係止手段を構成する
【００５４】 
　
この後も，移動板２２は僅かに矢印Ａ方向に移動するため，カードＰの後端にシャッタ部２９が係合しているシャッタ片２７は，差動板２５との間の遊びｌ分だけ矢印Ｂ方向に移動する。したがって，差動板２５とシャッタ片２７との間に懸架された引張りコイルばね３２が伸長し，引張りコイルばね３２に引張力が蓄積されるため，カードＰはストッパピン６６とシャッタ部２９とによって弾持される
【００５５】 
　このとき，１枚目のカードＰ１の後端がシャッタ部２９の係止リブ３０に係止され，この係止リブ３０の係止面３０ａがカード処理通路１１と直交する方向から角度αだけカード挿入口１５と反対方向に傾斜して形成されているため，係止リブ３０がカードＰ１によって矢印Ｂ方向に押圧されると，シャッタ片２７をカード処理通路１１側に付勢する分力Ｆ１が発生する。したがって，シャッタ部２９がカード処理通路１１から退避する方向すなわちカード処理通路１１を開放するようなことがないから，カードＰ１がシャッタ部２９に確実に弾持されるため，１枚目のカードＰ１が誤ってカード挿入口１５から排出されるようなことがない。」 
（ス）「【００６２】 
　したがって，この
シャッタ部２９によって２枚目のカードＰ２のカード処理通路１１内への挿入を規制する
２枚目のカードＰの前端が係止されるシャッタ部２９の係止面２９ａが，カード処理通路１１と直交する方向からカード挿入口１５側に角度αだけ傾斜するように形成されているため，係止面２９ａがカードＰ２によって矢印Ａ方向に押圧されると，シャッタ片２７をカード処理通路１１側に付勢する分力Ｆ２が発生する。したがって，シャッタ部２９がカード処理通路１１から退避することがないから，２枚目のカードＰ２がカード処理通路１１内に挿入されるのを確実に防止できる
　
　前記（ケ）〜（ス）及び関連する図面の記載によれば，引用文献２には，次の事項（以下，「引用文献２記載事項」という。）が記載されているといえる。 
  
 ＜引用文献２記載事項＞ 
「カード挿入口から１枚目のカードが挿入された後，２枚目のカードがカード挿入口からカード取込み通路内に挿入されるのを阻止するカード処理装置におけるシャッタ構造であって（【０００１】）， 
　カードの移動方向に細長い長方形に形成されたシャッタ片２７を有し（【００２３】），
　シャッタ片２７は，
　カード排出方向の端部に，カード処理通路１１側に折り曲げられるようにして形成されたシャッタ部２９が設けられ（【００２３】）， 
　両側部には，被係合部としてのボス２７ａ，２７ａが突設され（【００２３】）， 
　カード挿入方向の端部に保持部２８が設けられ，当該保持部２８は，差動板２５の係合ピン２５ｂが係入されることにより枢着され（【００２５】）， 
　カードＰがカード挿入口１５から挿入されていない初期の状態において，シャッタ部２９はカード処理通路１１から退避しており（【００２７】），
　カードＰをカード挿入口１５からカード処理通路１１内にカード挿入方向に挿入すると，カードＰの前端が移動板２２の被係合部２２ａに当接し，移動板はカードＰに押圧されてカード挿入方向に移動し（【００４８】），
　さらに，カードＰをカード挿入方向に挿入すると，移動板２２の係合突片２２ｂが差動板２５の被係合部２５ａに係合して，差動板２５をカード挿入方向に移動させ（【００４９】〜【００５２】）， 
　差動板２５に枢着されたシャッタ片２７は，シャッタ片２７のボス２７ａが，カム片の傾斜案内部３１ａから水平案内部３１ｂに案内されるため，シャッタ部２９はカード処理通路１１に臨み（【００５２】）， 
　シャッタ片２７が移動板２２に追従してカード挿入方向に移動することにより，シャッタ部２９がカードＰの後端に係合し（【００５３】）， 
　カードＰは，このシャッタ部２９によってカード挿入方向に移動し，前端がストッパピン６６に係止されることにより，カード処理領域１１Ａに位置付けられて停止し，シャッタ片２７のシャッタ部２９が，カードＰの後端を係止する第１の係止手段を構成し（【００５３】）， 
　この後も，移動板２２は僅かにカード挿入方向に移動するため，シャッタ片２７は，差動板２５との間の遊びｌ分だけカード排出方向に移動し，したがって，差動板２５とシャッタ片２７との間に懸架された引張りコイルばね３２が伸長し，引張りコイルばね３２に引張力が蓄積されるため，カードＰはストッパピン６６とシャッタ部２９とによって弾持され（【００５４】）， 
　シャッタ部２９によって２枚目のカードＰ２のカード処理通路１１内への挿入を規制し，しかも，２枚目のカードＰの前端が係止されるシャッタ部２９の係止面２９ａが，カード処理通路１１と直交する方向からカード挿入口１５側に角度αだけ傾斜するように形成されているため，係止面２９ａがカードＰ２によってカード挿入方向に押圧されると，シャッタ片２７をカード処理通路１１側に付勢する分力Ｆ２が発生し，シャッタ部２９がカード処理通路１１から退避することがないから，２枚目のカードＰ２がカード処理通路１１内に挿入されるのを確実に防止できる（【００６２】）， 
　カード処理装置におけるシャッタ構造。」 
  
３．特開２００８−１９１８２６号公報
　当審の拒絶理由において引用した特開２００８−１９１８２６号公報（以下，「引用文献３」という。）には，次の事項が記載されている（下線は，当審において付与した。）。  
（セ）「【技術分野】【０００１】 
　本発明は，カード状の情報記録媒体に対して，情報の書込み処理や情報の読取り処理を実行するカード処理装置に関し，詳細には，
カード挿入口に設置されてカードの追加挿入を阻止するシャッタ機構に特徴を備えたカード処理装置
  
（ソ）「【００２８】
　
シャッタ機構１０は，本体フレーム２Ａに対して，支軸１１を介して揺動可能に支持される揺動部材１２を有している
【００２９】
　揺動部材１２は，本体フレーム２Ａの搬送路３の裏面側に突出された受部２ａに対し，前記支軸１１が設置され，その上から略Ｍ字形状のカバー１３が設置されることで，本体フレーム２Ａに対して揺動可能に支持される。すなわち，揺動部材１２は，簡単な操作によって，本体フレーム２Ａに対して着脱可能になっていると共に，上記した略Ｍ字形状のカバー１３により，揺動部材に対する負荷を軽減することが可能になる。 
【００３０】
　また，
揺動部材１２には，一端側に前記挿入口４を閉塞可能にする閉塞部１２ｃが，他端側に前記搬送路３から突没可能な突没部１２ｄが一体的に形成されている
【００３１】
　前記揺動部材１２は，閉塞部１２ｃが常時挿入口４を開口するように（閉塞部１２ｃが開口２ｂ内に没している状態）支持されており，この状態で，他端側の突没部１２ｄは搬送路３の表面から突出している。このような状態が得られるように，揺動部材１２は，支軸１１よりも前方側で，本体フレーム２Ａの裏面との間に押圧バネ１４を介在させており，閉塞部１２ｃを，常時開口２ｂ内に没する方向に付勢している。この押圧バネ１４は，揺動部材１２に穴を形成し，その穴内に保持された状態となる。」 
  
（タ）「【００３５】 
　また，前記
閉塞部１２ｃは
搬送路３に対して略直角に立ち上がるカード挿入阻止面１２ｃ´
を有している
【００３６】
　なお，
カード挿入阻止面１２ｃ´は，図７の拡大図に示すように，カードＰＣが当て付いた際，揺動部材１２が上方に移動できるよう，所定角度（θ＝５°程度）傾斜させておくことが好ましい。このような傾斜を形成しておくことで，カードＰＣが当て付いた際，揺動部材１２が閉塞方向となる上方（矢印方向）にシフトするため，カードの追加投入を確実に防止することが可能となる。
 
 （チ）「【００３９】 
　次に，上記したシャッタ機構１０を構成する揺動部材１２の動作について，図８から図１１を参照して説明する。 
【００４０】 
　最初，
初期状態では，上述したシャッタ機構１０の揺動部材１２は，支軸１１を中心として，閉塞部１２ｃが搬送路３から没した状態となっている
挿入口４からカードＰＣを挿入すると，
カードＰＣは搬送ベルト２５によって内部に搬送される
　
（ツ）「【００４２】 
　図９に示すように，カードＰＣが第１センサ１５Ａを通過し，搬送機構によって前記情報処理位置に搬送される際，カードＰＣの先端は，搬送路３の開口２ｃから突出している揺動部材１２の突没部１２ｄに係合する。上記したように突没部１２ｄには，図７に示したように傾斜面１２ｄ´が形成されているため，カードＰＣは，突没部１２ｄを下方にシフトさせながら更に内部に搬送される。 
【００４３】 
　この際，揺動部材１２は，突没部１２ｄの押下げによって，図９に示すように，閉塞部１２ｃが上昇し，搬送中のカードＰＣに当接するが，上記したように揺動部材１２は，カードＰＣの搬送方向に沿って湾曲可能となっており，揺動部材１２が湾曲した状態で閉塞部１２ｃがカードの後端側の表面に当接する。」 
（テ）「【００４４】 
　そして，カードＰＣが更に内部に搬入され，上記したようにカードの後端が第１センサ１５Ａを通過して情報処理位置に搬送されると，湾曲した状態にあった閉塞部１２ｃは，図１０に示すように，
揺動部材１２の突没部１２ｄの押し下げによって上昇し，挿入口４を閉塞する。
  
　前記（セ）〜（テ）及び関連する図面の記載によれば，引用文献３には，次の事項（以下，「引用文献３記載事項」という。）が記載されているといえる。 
  
 ＜引用文献３記載事項＞ 
「カード挿入口に設置されてカードの追加挿入を阻止するシャッタ機構に特徴を備えたカード処理装置であって（【０００１】）， 
　シャッタ機構１０は，本体フレーム２Ａに対して，支軸１１を介して揺動可能に支持される揺動部材１２を有し（【００２８】），
　揺動部材１２には，一端側に前記挿入口４を閉塞可能にする閉塞部１２ｃが，他端側に前記搬送路３から突没可能な突没部１２ｄが一体的に形成され（【００３０】），
　閉塞部１２ｃは，搬送路３に対して略直角に立ち上がるカード挿入阻止面１２ｃ´を有し，カード挿入阻止面１２ｃ´は，カードＰＣが当て付いた際，揺動部材１２が閉塞方向に移動できるよう，所定角度傾斜させておくことが好ましく，このような傾斜を形成しておくことで，カードＰＣが当て付いた際，揺動部材１２が閉塞方向にシフトするため，カードの追加投入を確実に防止することが可能となり（【００３５】【００３６】），
　初期状態では，揺動部材１２は閉塞部１２ｃが搬送路３から没した状態となっており，
　挿入口４からカードＰＣを挿入すると，カードＰＣは内部に搬送され， 
　カードＰＣは，搬送路３の開口２ｃから突出している揺動部材１２の突没部１２ｄに係合し，突没部１２ｄを下方にシフトさせながら更に内部に搬送され（【００４０】）， 
　閉塞部１２ｃは，揺動部材１２の突没部１２ｄの押し下げによって上昇し，挿入口４を閉塞する（【００４４】）， 
　カード処理装置。」 
 　 
第４　対比 
  
　次に，本願発明と引用発明とを対比する。 
・引用発明の「カード挿入口から挿入されたカード３に残高数のデータの読み込み及び書き込みを行うリードライト部４」は，本願発明の「カード挿入口から挿入されたカードに残高数のデータ読み込み及び書き込みを行うリードライト部」に相当する。
  
・引用発明の「一端にカード挿入口２を閉蓋するフラップ１０ａと他端に，収納されたカード３を押し上げる突条１０ｂが一体的に設けられ」，「支軸１０ｃでもって軸承されてシーソー状に傾動可能に取り付けられ」たシャッタープレート１０と，本願発明の「一端にカード挿入口を全長に渡って閉蓋するフラップと他端にストックされたカードを押し上げる突条が一体的に設けられ支軸でもってシーソー状に傾動可能に軸承されたシャッタープレート」は，「一端にカード挿入口を閉蓋するフラップと他端にストックされたカードを押し上げる突条が一体的に設けられ支軸でもってシーソー状に傾動可能に軸承されたシャッタープレート」の点で共通する。
　ただし，引用発明のフラップは，カード挿入口を閉蓋するものの，その閉蓋がカード挿入口の「全長に渡って」いるかどうか明示されていない点で，本願発明と一応相違する。
 　 
・引用発明の「シャッタープレート１０の突条１０ｂ側下面を上方に押し上げるカードリフト用カム」は，本願発明の「該シャッタープレートを傾動させるカム機構」に相当する。 
 　 
・引用発明の「カードリフト用カム１２に取付けられたカードリフト用ギャードモータ１１」は，カードリフト用カム１２を回転させるから，本願発明の「該カム機構を回転せしめるモーター」に相当する。
 　 
・引用発明のシャッタープレートと，該シャッタープレートを傾動させるカム機構と，該カム機構を回転せしめるモーターは，全体として本願発明の「シャッター機構」に相当する。
　
　したがって，本願発明と引用発明との一致点及び相違点は，次のとおりである。
　
＜一致点＞ 
　「カード挿入口から挿入されたカードに残高数のデータ読み込み及び書き込みを行うリードライト部を備え，一端にカード挿入口を閉蓋するフラップと他端にストックされたカードを押し上げる突条が一体的に設けられ支軸でもってシーソー状に傾動可能に軸承されたシャッタープレートと，該シャッタープレートを傾動させるカム機構と，該カム機構を回転せしめるモーターとを有するカードリーダライタユニットにおける，カードリーダライタのシャッター機構。」
　
＜相違点１＞
　本願発明は，「前記フラップの外側面を，シャッタープレートの閉塞方向に漸次拡大するテーパ面とした」のに対し，引用発明は，フラップの外側面が上記のようなテーバ面ではない点。
＜相違点２＞
　本願発明のフラップは，「カード挿入口を全長に渡って閉蓋する」のに対し，引用発明のフラップは，カード挿入口を閉蓋するものの，その閉蓋がカード挿入口の「全長に渡って」いるかどうか明示されていない点。
　
第５　判断 
　
　上記相違点について検討する。 
＜相違点１＞について
　引用文献２には，２枚目のカードがカード挿入口からカード取込み通路内に挿入されるのを阻止することを目的として，２枚目のカードＰの前端が係止されるシャッタ部２９の係止面２９ａを角度αだけ傾斜するように形成して，係止面２９ａがカードＰ２によって矢印Ａ方向に押圧されると，シャッタ片２７をカード処理通路１１側に付勢する分力Ｆ２を発生させ，シャッタ部２９がカード処理通路１１から退避することがないようにしたシャッタ片が記載されている。
　また，引用文献３には，カードの追加挿入を阻止することを目的として，揺動部材１２の一端側に，挿入口４を閉塞可能にする閉塞部１２ｃを設け，追加挿入されたカードＰＣが閉塞部のカード挿入阻止面１２ｃ´に当て付いた際，揺動部材１２が閉塞方向に移動できるよう，カード挿入阻止面１２ｃ´を所定角度傾斜させ，カードの追加投入を確実に防止するシャッタ機構が記載されている。
　引用文献２に記載されたシャッタ片は，係合ピン２５ｂに枢着されて傾動して，カード処理通路１１に対して挿入あるいは退避し，その端部には２枚目のカードを阻止する係止面２９ａを備える構造を持ち，また，引用文献３に記載されたシャッタ機構も，支軸１１を介して揺動することにより挿入口４を閉塞し，その一端側にカード挿入阻止面１２ｃ´を備えた構造を持ち，いずれの構造も，支軸でもって傾動可能に軸承され，一端に２枚目のカードを阻止する面を有する点で，引用発明のシャッタープレートと共通する構造を有するものである。
　したがって，引用発明において，フラップの外側面を引用文献２，３に記載されているように傾斜させれば，２枚目のカードが挿入されたとき，シャッタ機構を閉塞方向に揺動させる力が発生し，カードの誤挿入を確実に阻止し得ることは，普通に想到されることである。その場合，フラップの傾斜した外側面は，「シャッタープレートの閉塞方向に向かって漸次拡大するテーパ面」といえる。
　してみると，引用発明において，２枚目のカードの誤挿入を確実に阻止するために，引用発明のフラップの外側面を，引用文献２，３に記載された係止面（カード挿入阻止面）と同様に傾斜させ，上記相違点に係る構成とすることは容易に想到し得ることである。
＜相違点２＞について
　
　本願明細書及び図面には，フラップの実施例について次の事項が記載されている。
　
「【００１３】
　固定フレーム１ｂの前方には，一端にカード挿入口２を閉蓋するフラップ１０ａと，他端に，収納されたカード３を押し上げる突条１０ｂが一体的に設けられたシャッタープレート１０が支軸１０ｃでもって軸承されてシーソー状に傾動可能に取り付けられている。」
「【００１７】
　ここで，本発明に係るシャッター機構について説明すると，図３及び図４に示すように，シャッタープレート１０のフラップ１０ａは，フラップ１０ａの外側面がシャッタープレート１０の閉塞方向に漸次拡大するテーパ面Ｔ１に形成されると共に，フラップ１０ａの内側面もまたシャッタープレート１０の閉塞方向に漸次拡大するテーパ面Ｔ２に形成されている。」
　上記のように，本願明細書には，フラップ１０ａがカード挿入口２を閉蓋することは記載されているものの，閉蓋したときの隙間の有無や，隙間がないことの作用効果については明示的な記載が無い。また，図面においても，これらに関する明示的な記載は無い。
　そうすると，本願発明の「カード挿入口を全長に渡って閉蓋する」は，「閉蓋」がカード挿入口の全体を閉じる意味であることを強調するために，「全長に渡って」と表現したものと解される。よって，本願発明の「カード挿入口を全長に渡って閉蓋する」は，実質，「カード挿入口を閉蓋する」ことにすぎない。
　したがって，相違点２は実質的な相違ではない。
　
　そして，本願発明の作用効果も，引用発明，引用文献２記載事項及び引用文献３記載事項から当業者が予測できる範囲のものである。
　したがって，本願発明は，引用発明，引用文献２記載事項及び引用文献３記載事項に基づいて，当業者が容易に発明をすることができたものである。
第６　むすび
　以上のとおり，本願発明は，特許法第２９条第２項の規定により特許を受けることができないから，他の請求項について検討するまでもなく，本願は拒絶されるべきものである。
　よって，結論のとおり審決する。